(57)【要約】【課題】食べこぼしが衣服に染みるのを防いで身だしなみを保ち、かつ、食事を存分に楽しめるように、大人でも着用することに抵抗感を感じにくいエプロンを提供する。【解決手段】エプロン１０は、エプロン本体１２と、該エプロン本体１２に着脱可能な付け襟６０と、複数の着脱手段等により構成されている。前記エプロン本体１２は、表地１４と裏地１６の間に中間層１８を挟んだ３層構造となっており、表地１４，裏地１６側のいずれも使用可能なリバーシブル構造である。前記エプロン本体１２の下縁側には、表地１４と裏地１６を縫製していない開口部２４と、表地１４と裏地１６をポケット状に縫製した収納部２８が設けられている。前記表地１４，裏地１６，付け襟６０の組み合わせにより５通りの使用ができる。使用後や携帯時には、全体を前記収納部２８に収納してコンパクトにする。【選択図】図１
2018003183.tif 000002
【特許請求の範囲】
【請求項１】
使用者の首に掛ける第１の首掛け部と、該第１の首掛け部に連続形成された第１の前掛け部を有するエプロン本体と、
前記使用者の首に掛ける第２の首掛け部と、該第２の首掛け部に連続形成された第２の前掛け部を有しており、前記エプロン本体に着脱可能な付け襟と、
該付け襟を前記エプロン本体に着脱可能に取り付ける着脱手段と、
を備えており、
前記エプロン本体は、第１の生地と第２の生地を重ねたリバーシブル構造であって、
前記着脱手段は、
前記付け襟を前記第１の生地に取り付ける第１の着脱手段と、
前記付け襟を前記第２の生地に取り付ける第２の着脱手段と、
を含むことを特徴とするエプロン。
【請求項２】
前記エプロン本体は、
前記第１の生地と第２の生地の間に、撥水性を有する第３の生地を有する３層構造であることを特徴とする請求項１記載のエプロン。
【請求項３】
前記エプロン本体の下縁部に、前記第１の生地と第２の生地を縫製しない開口部を設けるとともに、
該開口部の一方の端部から他方の端部にかけて、ポケット状に前記第１の生地と第２の生地を縫製した収納部と、
前記開口部を開閉する開閉具と、
を設けたことを特徴とする請求項１又は２記載のエプロン。
【請求項４】
前記収納部の内側に、前記第１の生地及び第２の生地とは異なる生地を設けたことを特徴とする請求項３記載のエプロン。
【請求項５】
前記エプロン本体は、
正面中央に首周りを広げるスリットと、
該スリットにより分断されるエプロン本体を着脱可能に固定する第３の着脱手段と、
を備えたことを特徴とする請求項１〜４のいずれか一項に記載のエプロン。
【請求項６】
前記付け襟は、前記第２の前掛け部の縁部の一部に、
第４の着脱手段によって開閉可能な開き部を有することを特徴とする請求項１〜５のいずれか一項に記載のエプロン。
【請求項７】
前記付け襟は、前記第２の前掛け部の縁部の一部であって、前記スリットと重ならない位置に、
第４の着脱手段によって開閉可能な開き部を有することを特徴とする請求項５記載のエプロン。
【請求項８】
前記付け襟は、その周縁に装飾部を有することを特徴とする請求項１〜７のいずれか一項に記載のエプロン。
【請求項９】
前記第１の着脱手段及び第２の着脱手段が、ホックであることを特徴とする請求項１〜８のいずれか一項に記載のエプロン。
【発明の詳細な説明】
【技術分野】
【０００１】
本発明は、エプロンに関し、更に具体的には、大人の女性向きのエプロンに関するものである。
【背景技術】
【０００２】
食事の際に、食べこぼしのシミを衣服につけてしまい着替えることができない状況では、その後、誰かに会う場合、相手に不快感を与えてしまい、会話も円滑に進まなくなることが想定される。また、相手への礼儀にも欠けてしまう。しかしながら、世の中にある一般的なエプロンは、ベビー用や介護用が主である。例えば、下記特許文献１には、前掛け部と前掛け部から延出した首掛け部とからなるよだれかけにおいて、首掛け部の内周縁であって、着用者の首後部に対応する位置に折り返し片を有することが開示されている。このほか、大人用のエプロンとしては、使い捨ての紙ナプキンや、大きなナプキンしか見当たらない。
【先行技術文献】
【特許文献】
【０００３】
【特許文献１】特開２００６−２９９４３１号公報
【発明の概要】
【発明が解決しようとする課題】
【０００４】
しかしながら、上述した特許文献１に記載のよだれ掛けは、主に、幼児，高齢者，病人等が着用するためのもので、機能面しか考慮されておらず、大人，特に女性が外出先等で使用するには、抵抗感があり着用しにくい。使い捨ての紙エプロンや大きいナプキンを使用する場合も同様である。
【０００５】
本発明は、以上のような点に着目したもので、食べこぼしが衣類に染みるのを防止して身だしなみを保ち、かつ、食事を存分に楽しめるように、大人でも着用することに抵抗感を感じにくいエプロンを提供することを、その目的とする。
【課題を解決するための手段】
【０００６】
本発明は、使用者の首に掛ける第１の首掛け部と、該第１の首掛け部に連続形成された第１の前掛け部を有するエプロン本体と、前記使用者の首に掛ける第２の首掛け部と、該第２の首掛け部に連続形成された第２の前掛け部を有しており、前記エプロン本体に着脱可能な付け襟と、該付け襟を前記エプロン本体に着脱可能に取り付ける着脱手段と、を備えており、前記エプロン本体は、第１の生地と第２の生地を重ねたリバーシブル構造であって、前記着脱手段は、前記付け襟を前記第１の生地に取り付ける第１の着脱手段と、前記付け襟を前記第２の生地に取り付ける第２の着脱手段と、を含むことを特徴とする。
【０００７】
主要な形態の一つは、前記エプロン本体は、前記第１の生地と第２の生地の間に、撥水性を有する第３の生地を有する３層構造であることを特徴とする。他の形態の一つは、前記エプロン本体の下縁部に、前記第１の生地と第２の生地を縫製しない開口部を設けるとともに、該開口部の一方の端部から他方の端部にかけて、ポケット状に前記第１の生地と第２の生地を縫製した収納部と、前記開口部を開閉する開閉具と、を設けたことを特徴とする。更に他の形態の一つは、前記収納部の内側に、前記第１の生地及び第２の生地とは異なる生地を設けたことを特徴とする。
【０００８】
更に他の形態の一つは、前記エプロン本体は、正面中央に首周りを広げるスリットと、該スリットにより分断されるエプロン本体を着脱可能に固定する第３の着脱手段と、を備えたことを特徴とする。更に他の形態の一つは、前記付け襟は、前記第２の前掛け部の縁部の一部に、第４の着脱手段によって開閉可能な開き部を有することを特徴とする。更に他の形態の一つは、前記付け襟は、前記第２の前掛け部の縁部の一部であって、前記スリットと重ならない位置に、第４の着脱手段によって開閉可能な開き部を有することを特徴とする。更に他の形態の一つは、前記付け襟は、その周縁に装飾部を有することを特徴とする。更に他の形態の一つは、前記第１の着脱手段及び第２の着脱手段が、ホックであることを特徴とする。本発明の前記及び他の目的，特徴，利点は、以下の詳細な説明及び添付図面から明瞭になろう。
【発明の効果】
【０００９】
本発明によれば、使用者の首に掛ける第１の首掛け部と、該第１の首掛け部に連続形成された第１の前掛け部を有するエプロン本体と、前記使用者の首に掛ける第２の首掛け部と、該第２の首掛け部に連続形成された第２の前掛け部を有しており、前記エプロン本体に着脱可能な付け襟と、該付け襟を前記エプロン本体に着脱可能に取り付ける着脱手段と、を備えており、前記エプロン本体は、第１の生地と第２の生地を重ねたリバーシブル構造であって、前記着脱手段は、前記付け襟を前記第１の生地に取り付ける第１の着脱手段と、前記付け襟を前記第２の生地に取り付ける第２の着脱手段と、を含むこととした。このため、一般的な服のデザインと素材を利用することで、周囲からはブラウスのように見え、エプロンを付けていると感じさせにくく、使用することに抵抗を感じることがない。これにより、確実にエプロンを装着することで、食べこぼしが衣類にシミとなることを防止して身だしなみを保ち、かつ、存分に食事（飲食）楽しむことができるという効果がある。また、付け襟をエプロン本体に付けた一体化状態とすることで、着脱が容易である。
【図面の簡単な説明】
【００１０】
【図１】本発明の実施例１を示す図であり、(A)はエプロン本体表地側の平面図，(B)はエプロン本体裏地側の平面図，(C)は付け襟の表面側の平面図，(D)はエプロン本体に付け襟を取り付けた状態を示す斜視図，(E)はエプロン本体の生地の積層構造を示す断面図である。
【図２】前記実施例１のエプロンの使用態様を示す図である。
【図３】前記実施例１のエプロンを収納する手順を示す図である。
【発明を実施するための形態】
【００１１】
以下、本発明を実施するための最良の形態を、実施例に基づいて詳細に説明する。
【実施例１】
【００１２】
最初に、図１〜図３を参照しながら本発明の実施例１を説明する。図１(A)は、本実施例のエプロン本体表地側の平面図，(B)はエプロン本体裏地側の平面図，(C)は付け襟の表面側の平面図，(D)はエプロン本体に付け襟を取り付けた状態を示す斜視図，(E)はエプロン本体の生地の積層構造を示す断面図である。図２は、本実施例のエプロンの使用態様を示す図である。図３は、本実施例のエプロンを収納する手順を示す図である。図１に示すように、本実施例のエプロン１０は、エプロン本体１２と、該エプロン本体１２に着脱可能な付け襟６０と、これらを着脱可能に着脱するための複数の着脱手段等により構成されている。
【００１３】
前記エプロン本体１２は、図１(A)及び(B)に示すように、使用者１００の首に掛ける首掛け部２０と、前記使用者１００の体の正面部分を覆う前掛け部２２が連続した形状となっている。図示の例では、前記首掛け部２０は使用者１００の頭から被せることができるように環状になっているが、開閉できるようにしてもよい。また、前掛け部２２の長さは、図１(D)に示すように、座ったときに使用者１００の膝に達するくらいまでの長さとしておくことで、胸元の汚れだけではなく、スカートやズボンに落ちる汚れを防ぐことができる。前記エプロン本体１２は、表地（第１の生地）１４と、裏地（第２の生地）１６を重ね合わせたリバーシブル構造となっている。また、本実施例では、図１(E)に示すように、前記表地１４と裏地１６の間に、汚れや水分をはじくための撥水性を有する中間層（第３の生地）１８を設けている。
【００１４】
前記表地１４，裏地１６は、通常の衣類に使用する生地全般が利用可能であるが、後述するポケットに収納することや、使用時の肌触りを考慮すると、比較的堅くない生地が好ましい。また、前記表地１４，裏地１６は、同じ生地を用いてもよいが、異なる素材，色，模様等の生地を用いると、リバーシブルにしたときに、異なるデザインを楽しむことができる。なお、前記中間層１８としては、例えば、ナイロンやポリエステル製の生地が使用される。前記表地１４，裏地１６に、通常の衣類と同様の素材を用いるため、食べこぼしがあれば、当然に汚れが内側に染みていくが、大人がこぼした程度のものであれば、表地１４と裏地１６の二重構造にすることで、使用者１００が着用している衣服まで染みることは滅多にない。また、本実施例のように、表地１４と裏地１６の間に、撥水性を有するナイロン等の中間層１８を設けることで、食べこぼしの汚れや水分が、より内側に染みにくくなる。
【００１５】
また、前記エプロン本体１２の前掛け部２２の下縁２２Ａの中央部には、前記表地１４と裏地１６が縫製されていない開口部２４が形成されている。また、前記開口部２４の一方の端部２４Ａから他方の端部２４Ｂにかけて、略長方形の縫製部２６が形成され、前記表地１４及び裏地１６Ｂ（と本実施例では、中間層１８も）を縫い付け、収納部２８が形成されている。該収納部２８の内側には、前記表地１４及び裏地１６とは異なるポケット用表地８０が設けられている（図３(C)〜(E)参照）。該収納部２８は、後述するように、本実施例のエプロン１０を使用しない場合に、該エプロンを小さくまとめ、中表に裏返したときの内側に、小さくまとめたエプロン１０を収納するためのものである。そして、前記開口部２４には、表地１４側と裏地１６側に、着脱可能に係合する開閉具３０Ａ，３０Ｂが設けられている。本実施例では、前記開閉具３０Ａ，３０Ｂとして、生地をいためないように、面テープ（面ファスナー）等ではなく、ホックを用いている。
【００１６】
更に、前記エプロン本体１２の前掛け部２２の上方には、図１(A)に示すように、正面中央部に、スリット状の開き部４０が設けられている。該開き部４０を設けることにより、エプロン１０を着用するときに首周りを広げることができ、ヘアスタイル等を乱すことがない。前記開き部４０により分断される両部分には、重ね部４２，４４が設けられている。上側の重ね部４２と下側の重ね部４４を重ね、これらに設けられた面テープ５２Ａ，５２Ｂを結合させることで、エプロン本体１２の正面上部を閉じることができる。なお、図示の例では、前記重ね部４２，４４には、装飾用のレース４６，４８が表裏に設けられており、該レース４６，４８の上に、前記面テープ５２Ａ，５２Ｂが設けられている。
【００１７】
以上のような構成のエプロン本体１２は、前記付け襟６０を着脱可能につけるための複数の着脱手段を首周りの部分に備えている。まず、図１(A)に示すように、表地１４側には、ホック３２，３４が、左右で上下位置が異なるように配置されている。また、図１(B)に示すように、裏地１６側には、ホック３６，３８が、左右で上下位置が異なるように配置されている。なお、前記表地１４及び裏地１６には、前記ホック３２，３４，３６，３８と布地を挟む留め具が設けられている。
【００１８】
次に、付け襟６０について説明する。図１(C)に示すように、前記付け襟６０は、使用者１００の首に掛ける首掛け部６２と、前記使用者１００の体の正面側を覆う前掛け部６４が連続した形状となっている。図示の例では、前記首掛け部６２は、使用者１００の頭から被せることができるように環状になっているが、開閉できるようにしてもよい。前記前掛け部６４は、図示の例では、細長い三角形状となっており、周縁には装飾用のレース７０が設けられている。前記前掛け部６４の周縁の一部は、開閉可能な重ね部６８Ａ，６８Ｂとなっており、これらに設けられた開閉手段によって開閉可能となっている。
【００１９】
前記重ね部６８Ａ，６８Ｂの開閉は、図示の例では、面テープ７４Ａ，７４Ｂを用いているが、他の公知の各種の着脱手段を用いてもよい。本実施例では、前記前掛け部本体が二等辺三角形となっており、一方の等辺側において重ね部６８Ａ，６８Ｂが開閉可能となっている。このため、仮に、前記エプロン本体１２側の正面の開き部４０を開閉したとしても、付け襟６０の開き部７２とは開閉位置がずれているため、面テープを結合させる位置を間違えることがない。
【００２０】
前記付け襟６０は、前記エプロン本体１２に着脱可能につけるための複数の着脱手段を首周りの部分に備えている。図１(C)に示すように、付け襟６０の裏側６０Ｂには、ホック７６，７８が、左右で上下位置が異なるように配置されている。前記ホック７６，７８は、前記エプロン本体１２の表地１４のホック３２，３４と着脱可能であるとともに、前記裏地１６側のホック３６，３８とも着脱可能である。このように、エプロン本体１２と付け襟６０を、ホックを用いて着脱する構成とすることで、生地を痛めずに着脱が可能となる。
【００２１】
次に、図２を参照して、本実施例のエプロン１０の使用態様を説明する。本実施例のエプロン１０は、５通りの使用が可能である。まず、図２(A)に示すように、エプロン本体１２の表地１４のホック３２，３４と、付け襟６０のホック７６，７８を結合することにより、前記表地１４に付け襟６０を装着した状態での使用がある。次に、図２(B)に示すように、エプロン本体１２の裏地１６のホック３６，３８と、付け襟６０のホック７６，７８を結合することにより、前記裏地１６に付け襟６０を装着した状態の使用がある。
【００２２】
また、前記付け襟６０が汚れたり、気分を変えたりしたいときには、図２(C)に示すように、付け襟６０を使用せず、エプロン本体１２のみを表地１４側を表にして使用してもよいし、図２(D)に示すように、エプロン本体１２の裏地１６側を表にして使用してもよい。あるいは、軽食やお茶程度であれば、図２(E)に示すように、付け襟６０のみを使用してもよい。このように、本実施例のエプロン１０によれば、５通りの使用が可能である。
【００２３】
以上のような構成のエプロン１０は、使用しないときや携帯時には、コンパクトに纏めることができる。図３(A)に示すように、付け襟６０を付けたまま、該付け襟６０を裏地１６側へまわし、続いて、エプロン本体１２の側縁２２Ｂ，２２Ｃを収納部２８の幅に合わせて折りたたむ。そして、図３(B)に示すように、前記首掛け部２０側から下縁２２Ａ側へ向けて折り畳む（あるいは丸める）。そして、図３(C)に示すように、前記収納部２８を中表に裏返し、その内側に、図３(D)に示すようにエプロン１０を収納する。最後に、図３(E)に示すように、前記開口部２４を、開閉具３０Ａ，３０Ｂで閉じれば、エプロン１０がコンパクトに収納された状態となり、持ち運びや、保管に便利である。
【００２４】
このように、実施例１によれば、次のような効果がある。
(1)表地１４と裏地１６からなるリバーシブル構造のエプロン本体１２に、前記表地１４及び裏地１６のいずれに対しても付け襟６０を着脱可能な構成とした。このため、一般的な服のデザインと素材を利用することで、周囲からはブラウスのように見え、エプロン１０を付けていると感じさせにくく、着用することに抵抗を感じにくい。そして、エプロンを装着することで、食べこぼしが衣類にしみることを防止して身だしなみを保ち、かつ、食事を存分に楽しむことができる。また、付け襟６０をエプロン本体１２に付けた一体化状態とすることで、着脱が楽である。
(2)表地１４，裏地１６，付け襟６０の組み合わせで５通りの使用ができ、着替えたような楽しみがある。
(3)前記表地１４及び裏地１６として、通常の衣類と同様の生地を用いているため、肌触りがよい。
【００２５】
(4)前記表地１４と裏地１６の間に、撥水性を有する中間層１８を設けることとしたので、仮に、汚れが表地１４を通りこしても、中間層１８で汚れがはじかれて表地１４に逆戻りして吸収され、裏地１６は汚れない。このため、表地１４側が汚れても、裏地１６側はきれいなままなので、両面使用が可能である。裏地１６を外側にして使用した場合も同様である。
(5)前記表地１４及び裏地１６と、前記付け襟６０の着脱手段としてホックを用いることとしたので、生地をいためることがない。
【００２６】
(6)エプロン１０の下縁２２Ａ側に、前記表地１４と裏地１６を縫製しない開口部２４を設けるとともに、該開口部２４の一端から他端にかけて、前記表地１４と裏地１６をポケット状に縫製した収納部２８を形成した。このため、前記収納部２８を中表に裏返して、その内側にエプロン１０を収納すれば、コンパクトにまとめることができ携帯や保管にも便利である。また、エプロン１０が汚れた場合にも、収納部２８に入れることで、バッグの中等を汚さず、衛生的である。
(7)エプロン本体１２の正面上部に開き部４０を設けて開閉可能としたので、着用しやすい。また、付け襟６０の周縁の一部にも、開き部７２を設けて開閉可能としたので、同様に着用しやすい。また、前記開き部４０と、開き部７２の開閉位置がずれているため、面テープ等を固定する位置を間違えることがない。更に、前記エプロン本体１２の開き部４０と、付け襟６０の開き部７２の位置がずれているため、見なくても開閉することができる。
【００２７】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、表地１４と裏地１６で異なる布地を用いることとしたが、同じ布地を用いることを妨げるものではない。また、前記実施例で示した前掛け部２２の長さも一例であり、必要に応じて各種の長さとしてよい。
(2)前記実施例では、表地１４と裏地１６の間に中間層１８を設けることとしたが、表地１４や裏地１６が撥水性を有するものであれば、中間層１８は必要に応じて設ければよい。
(3)前記実施例で示した面テープによる開閉や、ホックによる着脱も一例であり、同様の効果を奏する範囲内で、公知の各種の開閉手段や着脱手段を利用可能である。
【００２８】
(4)前記実施例で示したレースも一例であり、これらは必要に応じて設ければよい。また、レース以外の装飾を設けることを妨げるものではない。また、付け襟６０以外の部分にレース等を設けることを妨げるものではない。
(5)前記実施例では、付け襟６０は表側のみ用いることとしたが、付け襟６０をリバーシブルにしたり、撥水性の生地を内側に設けたりすることを妨げるものではない。
(6)本発明のエプロンは、使用者１００が自分で携帯してもよいが、飲食店等に備えて付けておき、客に貸し出すようにしてもよい。
(7)前記実施例では、本発明のエプロンを大人の女性用として説明したが、男性や、高齢者、あるいは子供が使用することを妨げるものではない。
【産業上の利用可能性】
【００２９】
本発明によれば、使用者の首に掛ける第１の首掛け部と、該第１の首掛け部に連続形成された第１の前掛け部を有するエプロン本体と、前記使用者の首に掛ける第２の首掛け部と、該第２の首掛け部に連続形成された第２の前掛け部を有しており、前記エプロン本体に着脱可能な付け襟と、該付け襟を前記エプロン本体に着脱可能に取り付ける着脱手段と、を備えており、前記エプロン本体は、第１の生地と第２の生地を重ねたリバーシブル構造であって、前記着脱手段は、前記付け襟を前記第１の生地に取り付ける第１の着脱手段と、前記付け襟を前記第２の生地に取り付ける第２の着脱手段と、を含むこととした。このため、一般的な服のデザインと素材を利用することで、周囲からはブラウスのように見え、エプロンを付けていると感じさせにくく、使用することに抵抗を感じることがない。これにより、確実にエプロンを装着することで、食べこぼしが衣類にシミとなることを防いで身だしなみを保ち、かつ、食事を楽しむことができ、また、付け襟をエプロン本体に付け一体化状態とすることで着脱が楽な大人の女性用のエプロンの用途に好適である。
【符号の説明】
【００３０】
１０：エプロン
１２：エプロン本体
１４：表地（第１の生地）
１６：裏地（第２の生地）
１８：中間層（第３の生地）
２０：首掛け部
２２：前掛け部
２２Ａ：下縁
２２Ｂ，２２Ｃ：側縁
２４：開口部
２４Ａ，２４Ｂ：端部
２６：縫製部
２８：収納部（ポケット）
３０Ａ，３０Ｂ：開閉具
３２，３４，３６，３８：ホック
４０：開き部
４２，４４：重ね部
４６，４８：レース
５２Ａ，５２Ｂ：面テープ
６０：付け襟
６０Ａ：表面
６０Ｂ：裏面
６２：首掛け部
６４：前掛け部
６８Ａ，６８Ｂ：重ね部
７０：レース
７２：開き部
７４Ａ，７４Ｂ：面テープ
７６，７８：ホック
８０：ポケット用表地
１００：使用者
【図１】
2018003183.tif 000003
【図２】
2018003183.tif 000004
【図３】
2018003183.tif 000005